(57)【要約】【課題】すばやく、簡単に組み立てられる時計の分解・組み立て方法を提供する。【解決手段】分解及び組み立ての二つの部分を含んでなり、分解する場合、挟持板の両面の異なる位置に設けられた接続孔と、接続孔に組み合わせる部材上の適宜な位置とに単一の表示と組み合わせ表示とを刻印し、且つ挟持板上に一時停止手段を設け、一時停止手段を作動し、分解する部材が弾性体の場合には固定バンドで結束して分解し、分解後に部材を交換、修理し、組み立てる場合には、部材をそれぞれ単一、組み合わせ表示に基づいて挟持板表面上の接続孔に設け、全ての部材を組み合わせた後、もう一方の挟持板に組み合わせる部材の自由端を固定片で一時的に固定して斜め、或いは傾斜することを防ぎ、二つの挟持板を対応して接続し、部材を位置決め後、固定片を一側面から引き出す。【選択図】図１
2010107271.tif 000002
【特許請求の範囲】
【請求項１】
分解及び組み立ての二つの部分を含んでなり、
該分解する場合、挟持板の両面の異なる位置に設けられた接続孔の適宜な位置に異なる単一の表示と組み合わせ表示とを刻印し、且つ挟持板上に一時停止手段を設け、
該挟持板の両面の接続孔に対応して組み合わせる部材上にも異なる単一の表示と組み合わせ表示とを刻印し、
分解前に一時停止手段を作動し、
分解する部材が弾性体の場合には先に固定バンドで結束して分解し、
分解後に損壊、或いは故障した部材を交換、或いは修理し、
組み立てる場合には、部材をそれぞれ単一、或いは組み合わせ表示に基づいて挟持板表面上の対応する接続孔に設け、
全ての部材を組み合わせた後、また組み合わせていないもう一方の挟持板に組み合わせる部材の自由端を固定片で一時的に固定して斜め、或いは傾斜することを防ぎ、
二つの挟持板を対応して接続し、部材を対応する接続孔に確実に位置決めしたら、
最後に固定片を一側面から引き出して組み立てを完了することを特徴とする時計の分解・組み立て方法。
【請求項２】
前記単一の表示が、英字、アラブ数字のどちらかを選択して形成することを特徴とする請求項１に記載の時計の分解・組み立て方法。
【請求項３】
前記組み合わせ表示が、異なる様式の英字とアラブ数字を組み合わせて形成することを特徴とする請求項１に記載の時計の分解・組み立て方法。
【請求項４】
前記固定バンドが、中空の係合体と、該係合体の一側面から延伸し、且つ長い棒状で突出した歯が凸設されたバンド体とを含んでなり、
該係合体はバンド体を穿設するために供し、且つバンド体を係合するか、或いは緩めることを制御する凸傾斜ブロックを具えてなり、該凸傾斜ブロック上にはリングが穿設されることを特徴とする請求項１に記載の時計の分解・組み立て方法。
【請求項５】
前記固定片が、表面に複数の円形孔を具えてなる軽量、薄型の板状の片で、円形孔がいずれも上層の板の接続孔に対応し、且つ同じ方向にそれぞれ延伸して形成された溝が固定片の端縁部まで形成され、該溝に隣接する円形孔の端縁部と固定片の端縁部とがいずれも適宜な位置に薄い材料から形成した接続部を具えてなることを特徴とする請求項１に記載の時計の分解・組み立て方法。
【請求項６】
前記一時停止手段が、上層の板上の適宜な位置に第一、第二ガイド孔と、ストッパーとを含んでなり、該第一ガイド孔がどれかの部材の位置に対応して設けられなければならず、ストッパーを穿設すると、その回転を係合して制限するが、第二ガイド孔は回転を制限することがないことを特徴とする請求項１に記載の時計の分解・組み立て方法。
【発明の詳細な説明】
【技術分野】
【０００１】
この発明は、時計の分解・組み立て方法に関し、特にすばやく簡単に分解、組み立てることができる時計の分解・組み立て方法に関する。
【背景技術】
【０００２】
多くの時計は内部の主な構造が一組の歯車板に挟持して設けられた複数のサイズの異なる歯車と、桿体と、回転体などの部品を含んでなり、上述の構造により、時針、分針、秒針とが同時に動かされる。
【０００３】
故障、或いは定期的なメンテナンスを行う場合、通常、専門家が分解し、針などの部品の交換、或いはクリーニングを行う。
【０００４】
時計の内部全体は部品が非常に多く、且つ体積が小さい時計ほど、部品の体積も小型化、精密化する。
【０００５】
よって、専門的な知識や経験を持った人でなければ、分解した後にもとのように部品を設けることができず、甚だしくは組み立てた後に、時計が動かないなどの状況が発生する。
【０００６】
また、殆どの時計は故障の原因を自分で解決することができないため、上述のように専門家に依頼しなければならない。
【発明の開示】
【発明が解決しようとする課題】
【０００７】
この発明は、すばやく、簡単に組み立てることができる時計の分解・組み立て方法を提供することを課題とする。
【課題を解決するための手段】
【０００８】
そこで本発明者は、従来の技術に鑑み鋭意研究を重ねた結果、分解及び組み立ての二つの部分を含んでなり、
該分解する場合、挟持板の両面の異なる位置に設けられた接続孔の適宜な位置に異なる単一の表示と組み合わせ表示とを刻印し、且つ挟持板上に一時停止手段を設け、
該挟持板の両面の接続孔に対応して組み合わせる部材上にも異なる単一の表示と組み合わせ表示とを刻印し、
分解前に一時停止手段を作動し、
分解する部材が弾性体の場合には先に固定バンドで結束して分解し、
分解後に損壊、或いは故障した部材を交換、或いは修理し、
組み立てる場合には、部材をそれぞれ単一、或いは組み合わせ表示に基づいて挟持板表面上の対応する接続孔に設け、
全ての部材を組み合わせた後、また組み合わせていないもう一方の挟持板に組み合わせる部材の自由端を固定片で一時的に固定して斜め、或いは傾斜することを防ぎ、
二つの挟持板を対応して接続し、部材を対応する接続孔に確実に位置決めしたら、最後に固定片を一側面から引き出して組み立てを完了する時計の分解・組み立て方法によって課題を解決できる点に着眼し、係る知見に基づき本発明を完成させた。
以下、この発明について具体的に説明する。
【０００９】
請求項１に記載する時計の分解・組み立て方法は、分解及び組み立ての二つの部分を含んでなり、
該分解する場合、挟持板の両面の異なる位置に設けられた接続孔の適宜な位置に異なる単一の表示と組み合わせ表示とを刻印し、且つ挟持板上に一時停止手段を設け、
該挟持板の両面の接続孔に対応して組み合わせる部材上にも異なる単一の表示と組み合わせ表示とを刻印し、
分解前に一時停止手段を作動し、
分解する部材が弾性体の場合には先に固定バンドで結束して分解し、
分解後に損壊、或いは故障した部材を交換、或いは修理し、
組み立てる場合には、部材をそれぞれ単一、或いは組み合わせ表示に基づいて挟持板表面上の対応する接続孔に設け、
全ての部材を組み合わせた後、また組み合わせていないもう一方の挟持板に組み合わせる部材の自由端を固定片で一時的に固定して斜め、或いは傾斜することを防ぎ、
二つの挟持板を対応して接続し、部材を対応する接続孔に確実に位置決めしたら、
最後に固定片を一側面から引き出して組み立てを完了する。
【００１０】
請求項２に記載の時計の分解・組み立て方法は、請求項１に記載の単一の表示が、英字、アラブ数字のどちらかを選択して形成する。
【００１１】
請求項３に記載の時計の分解・組み立て方法は、請求項１に記載の組み合わせ表示が、異なる様式の英字とアラブ数字を組み合わせて形成する。
【００１２】
請求項４に記載の時計の分解・組み立て方法は、請求項１に記載の固定バンドが、中空の係合体と、該係合体の一側面から延伸し、且つ長い棒状で突出した歯が凸設されたバンド体とを含んでなり、
該係合体はバンド体を穿設するために供し、且つバンド体を係合するか、或いは緩めることを制御する凸傾斜ブロックを具えてなり、該凸傾斜ブロック上にはリングが穿設される。
【００１３】
請求項５に記載の時計の分解・組み立て方法は、請求項１に記載の固定片が、表面に複数の円形孔を具えてなる軽量、薄型の板状の片で、円形孔がいずれも上層の板の接続孔に対応し、且つ同じ方向にそれぞれ延伸して形成された溝が固定片の端縁部まで形成され、該溝に隣接する円形孔の端縁部と固定片の端縁部とがいずれも適宜な位置に薄い材料から形成した接続部を具えてなる。
【００１４】
請求項６に記載の時計の分解・組み立て方法は、請求項１に記載の一時停止手段が、上層の板上の適宜な位置に第一、第二ガイド孔と、ストッパーとを含んでなり、該第一ガイド孔がどれかの部材の位置に対応して設けられなければならず、ストッパーを穿設すると、その回転を係合して制限するが、第二ガイド孔は回転を制限する。
【発明の効果】
【００１５】
この発明の時計の分解・組み立て方法は、分解・組み立てに係る作業時間、労力を削減するとともに、専門的な知識のない人でも分解・組み立てできるという効果を有する。
【発明を実施するための最良の形態】
【００１６】
この発明は、すばやく、簡単に組み立てることができる時計の分解・組み立て方法であって、分解及び組み立ての二つの部分を含んでなり、該分解する場合、挟持板の両面の異なる位置に設けられた接続孔の適宜な位置に異なる単一の表示と組み合わせ表示とを刻印し、且つ挟持板上に一時停止手段を設け、該挟持板の両面の接続孔に対応して組み合わせる部材上にも異なる単一の表示と組み合わせ表示とを刻印し、分解前に一時停止手段を作動し、分解する部材が弾性体の場合には先に固定バンドで結束して分解し、分解後に損壊、或いは故障した部材を交換、或いは修理し、組み立てる場合には、部材をそれぞれ単一、或いは組み合わせ表示に基づいて挟持板表面上の対応する接続孔に設け、全ての部材を組み合わせた後、また組み合わせていないもう一方の挟持板に組み合わせる部材の自由端を固定片で一時的に固定して斜め、或いは傾斜することを防ぎ、二つの挟持板を対応して接続し、部材を対応する接続孔に確実に位置決めしたら、最後に固定片を一側面から引き出して組み立てを完了して目的を達成することができる。
係る構成の時計の分解・組み立て方法について、その構造と特徴を詳述するために具体的な実施例を挙げ、以下に説明する。
【実施例】
【００１７】
図１は、この発明のすばやく、安全に分解及び組み立てることができる組み立て方法の時計内部を示した説明図である。
【００１８】
図面によれば、該分解・組み立て方法は、分解と組み立てとの二つの部分を含んでなる。
【００１９】
分解する場合には、次のステップを含んでなる。
【００２０】
図２に開示するように、内部構造１は、すべての部材を挟持し、固定する二つの挟持板１０、２０とを含んでなる。
【００２１】
該挟持板１０は、生産、製造の段階において予め、両面の異なる位置に設けられた接続孔１１の適宜な位置に単一の表示１２と、組み合わせ表示１３とが刻印され、組み立てる場合にすばやく識別できるように供する。
【００２２】
該単一の表示１２は図２Ａに開示するように、英字、或いはアラブ数字などを使用し、指示により使い分ける。
【００２３】
該組み合わせ表示１３は図２Ｂに開示するように、Ａ１、Ｂ２、Ｃ３など、英字とアラブ数字を合わせた形式を使用する。
【００２４】
もう一方の挟持板２０上には適宜な位置に一時停止手段６０を設ける。
【００２５】
該一時停止手段６０は、挟持板２０上の第一、第二ガイド孔６１、６２、ストッパー６３とを含んでなる。
【００２６】
該第一ガイド孔６１は、どれか一つの歯車の部材３０に対応する位置に設けなければならないが、該第二ガイド孔６２は、その必要がない。
【００２７】
内部構造１を分解する場合、図３Ａに開示するように、ストッパー６３が第一ガイド孔６１に延伸して穿接して対応する歯車の部材３０に当接して該部材３０の回転を制限するとともに、すべての内部構造の作動を停止させて分解する場合にその他の部材が損壊することを防ぐために供する。
【００２８】
すべての組み立てが終了した後、ストッパー６３を緩めると、図３Ｂに開示するように、ストッパー６３が第二ガイド孔６２に移動して指示を待つ状態になる。
【００２９】
上述の通り、異なる接続孔１１の両面に対応し、接続して設けられる歯車の部材３０は、図４Ａ、Ｂに開示するように、生産、製造時に対応する単一の表示３１と組み合わせ表示３２が刻印される。その使用形態は挟持板１０に合わせて示される。
【００３０】
分解する場合、二つの挟持板１０、２０を分離し、且つすべての部材３０を一つ一つ外す。弾性体の部材３０は、図５に開示するように、固定バンド４０で一時的に弾性体を結束して固定し、弾性により部材が形状を崩して作業員がけがをするなどの状況が発生することを防ぐ。
【００３１】
該固定バンド４０は、簡単な金属片で直接形成し、互いに係合する方法で対象物を結束することができる目的を達成する。
【００３２】
分解後、損壊、或いは故障した部材を交換、或いは修理する。
【００３３】
組み立てる場合には次のステップを含んでなる。
【００３４】
上述に示すように完全に分離された二つの挟持板１０、２０及びそれぞれの部材３０を組み立てるには、部材３０を刻印された単一の表示３１或いは、組み合わせ表示３２に応じて挟持板１０表面上の対応する接続孔１１に位置決めする。
【００３５】
該部材３０上に刻印された単一の表示３１がＡであれば、同じくＡという表示の接続孔１１を探して挿設する。
【００３６】
同様に、部材３０上に刻印された組み合わせ表示３２がＦ６であれば、表示がＦ６の接続孔１１に挿設して位置決めする。
【００３７】
すべての部材３０を適宜な位置に組み合わせた後、図６Ａに開示するように、プラスチック製の湾曲自在な固定片５０でまだ接続していないもう一方の挟持板２０の部材３０の自由端を一時的に固定するために供し、部材が湾曲、或いは傾斜することを防いで、二つの挟持板１０、２０を組み合わせる場合に互いの位置を合わせる時間を節減する。
【００３８】
二つの挟持板１０、２０をすばやく組み合わせると、図６Ｂに開示するように、挟持された部材３０がいずれも対応する接続孔１１、２１に確実に位置決めされて組み合わせが完了する。
【００３９】
最後に固定片５０を一側面から取り出す。
【００４０】
上述の固定バンド４０は、図５に開示するように、係合体４１と、該係合体４１から一側面に一体となって延伸して形成されるバンド体４２とを含んでなる。
【００４１】
該係合体４１は中空で、且つ内側に突出した歯型状の凸傾斜ブロック４１１を設けてなる。該凸傾斜ブロック４１１上にはリング４１２が穿設される。
【００４２】
該バンド体４２の自由端は鋭角に形成され、且つ表面に長い棒状の歯が凸設される。
【００４３】
使用する場合、バンド体４２を係合体４１に穿設し、凸傾斜ブロック４１１と歯４２１とを互いに噛合して位置決めするために供する。
【００４４】
周囲を囲むように弾性体を結束した後、バンド体４２を引くと、一時的に固定する目的を達成することができ、弾性体を取り外しても弾性で緩むことがない。また、組み合わせた後には再度リング４１２で凸傾斜ブロック４１１のバンド体４２に対する位置決めを調節してバンド体４２を緩めるとともに、反対方向に引き出して、繰り返し使用することができる。
【００４５】
該固定片５０は図７に開示するように、表面に複数の円形孔５１を設けてなる軽量、薄型の板状の片であって、円形孔５１はいずれも挟持板２０の接続孔２１に対抗して設けられる。また、溝５２が同一方向にそれぞれ固定片５０の端縁部に延伸するように形成される。
【００４６】
該溝５２は、隣接する円形孔５１の端縁部と固定片５０の端縁部とがいずれも適宜な位置に薄い材料から形成した接続部５３を設けてなり、固定片５０を使用しない場合に損壊して、組み立てる場合に不便になることを防ぐことができる。
【００４７】
上述の通り、この発明は、専門の作業員が時計の故障を修理するために時計を分解、組み立てる場合に便利で、時間及び労力を節減することができるだけでなく、専門でない作業者でも同様に分解、組み立てができ便利である。
【００４８】
特に、固定バンド、固定片などの補助的な部材は、専門でない作業員でも簡単に扱うことができて、技術的な難しさを克服できる。
【００４９】
また、趣味としての楽しさを高めることができるため、これらの作業、或いは製品に対する興味を培うとともに、作業を経常的に行うことで専門的な知識や経験を重ねることができる。
【００５０】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００５１】
【図１】この発明の時計の分解・組み立て方法における時計の内部構造を示した説明図である。
【図２Ａ】この発明の時計の分解・組み立て方法における内部の挟持板を示した平面図である。
【図２Ｂ】図２Ａに開示する挟持板のもう背面を示した平面図である。
【図３Ａ】この発明の時計の分解・組み立て方法における時計の一時停止手段が作動した状態を示した説明図である。
【図３Ｂ】この発明の時計の分解・組み立て方法における時計の一時停止手段が指示を待っている状態を示した説明図である
【図４Ａ】この発明の時計の分解・組み立て方法における時計の内部構造の部材を示した説明図である
【図４Ｂ】この発明の時計の分解・組み立て方法における時計の内部構造の部材を示した説明図である
【図５】この発明の時計の分解・組み立て方法における固定バンドを示した説明図である。
【図６Ａ】この発明の時計の分解・組み立て方法における時計の内部構造の固定片、挟持板を接続した状態を示した説明図である。
【図６Ｂ】この発明の時計の分解・組み立て方法における時計の内部構造を組み合わせた状態を示した説明図である。
【図７】この発明の時計の分解・組み立て方法における固定片を示した説明図と部分拡大図である。
【符号の説明】
【００５２】
１            内部構造
１０、２０    挟持板
１１          接続孔
１２          単一の表示
１３          組み合わせ表示
２１          接続孔
３０          部材
３１          単一の表示
３２          組み合わせ表示
４０          固定バンド
４１          係合体
４１１        凸傾斜ブロック
４１２        リング
４２          バンド体
４２１        歯
５０          固定片
５１          円形孔
５２          溝
５３          接続部
６０          一時停止手段
６１          第一ガイド孔
６２          第二ガイド孔
６３          ストッパー
【図１】
2010107271.tif 000003
【図２Ａ】
2010107271.tif 000004
【図２Ｂ】
2010107271.tif 000005
【図３Ａ】
2010107271.tif 000006
【図３Ｂ】
2010107271.tif 000007
【図４Ａ】
2010107271.tif 000008
【図４Ｂ】
2010107271.tif 000009
【図５】
2010107271.tif 000010
【図６Ａ】
2010107271.tif 000011
【図６Ｂ】
2010107271.tif 000012
【図７】
2010107271.tif 000013